(57)【要約】【課題】電源を必要とせずに棺桶内の遺体を長時間低温に維持すると共に、少ない労力で棺桶を容易に収納できる棺桶移送保管ボックスを提供する。【解決手段】棺桶移送保管ボックス１は上蓋３、ボックス本体２及び底板４と３分割されている。上蓋３及びボックス本体２を底板４から取り外した状態で棺桶５を直接底板４の上に載せた後、上蓋３を取り付けたボックス本体２を棺桶の上に被せて底板４の接合片４１の平面ファスナー４１１とボックス本体２の接合帯２１１を結合すれば、簡単に棺桶をボックス内に納めることができる。また、上蓋３には保冷剤収納袋３８を備えているので、棺桶内を長時間低温に維持できる。【選択図】図３
2019033910.tif 000002
【特許請求の範囲】
【請求項１】
上面及び下面が解放された長方形体のボックス本体、上記ボックス本体の上面に嵌合構造
を介して結合される長方形の上蓋及び上記ボックス本体の下面に嵌合構造を介して結合さ
れる長方形の底板とよりなり、上記上蓋はその四周に上記ボックス本体の四周の上辺と接
合するための接合片を備えると共に該上蓋の内面に保冷剤を収容するための保冷剤収納袋
を備え、上記底板はその四周に上記ボックス本体の四周の下辺に接合するための接合片を
備え、且、上記ボックス本体はその四周の上辺に上記上蓋の接合片と接合するための接合
帯を、又その四周の下辺には上記底板の接合片と接合するための接合帯をそれぞれ備えた
ことを特徴とする棺桶移送保管ボックス。
【請求項２】
上記ボックス本体は発泡合成樹脂製の断熱材の表面をアルミニウム蒸着した断熱シートで
被覆した断熱構造体の上面に厚手の布製外皮を上張りして構成され、上記上蓋は発泡合成
樹脂製の断熱材の表面をアルミニウム蒸着した断熱シートで被覆した断熱構造体の上面に
厚手の布製外皮を上張りして構成され、且、上記底板は発泡合成樹脂製の断熱材の表面を
アルミニウム蒸着した断熱シートで被覆した断熱構造体の上面に厚手の布製外皮を上張り
して構成されたことを特徴とする請求項１に記載の棺桶移送保管ボックス。
【請求項３】
上記接合片及び接合帯は帯状の平面ファスナーの雌型及び雄型の対及び帯状のマグネット
及び該マグネットに吸着される金属片の対よりなる群より選ばれたいずれか一つの対より
なることを特徴とする請求項１に記載の棺桶移送保管ボックス。
【請求項４】
上記上蓋は、棺桶内部の遺体を覗き見できる覗き窓を備えたことを特徴とする請求項１に
記載の棺桶移送保管ボックス。
【請求項５】
上記上蓋は、覗き窓を備えた部分と保冷剤を収容する部分のいずれか一方を上方に回動し
て二つ折りできるように構成されたことを特徴とする請求項１に記載の棺桶移送保管ボッ
クス。
【請求項６】
上記底板は、該底板と収容される棺桶の底との間に若干の間隙ができるように複数個の突
起を備えたことを特徴とする請求項１に記載の棺桶移送保管ボックス。
【請求項７】
上記底板は、該底板の四辺にそれぞれ紐状の取っ手を備えたことを特徴とする請求項１に
記載の棺桶移送保管ボックス。
【請求項８】
上記ボックス本体は、収容される棺桶内の温度を表示する温度計を備えたことを特徴と
する請求項１に記載の棺桶移送保管ボックス。
【発明の詳細な説明】
【技術分野】
【０００１】
本発明は、遺体を収納した棺桶を移送したり保管したりするための棺桶移送保管ボックス
に関するものある。
【背景技術】
【０００２】
遺体を収容した棺桶の冷却用には通常ドライアイスが用いられている。しかし、最近の地
球温暖化の影響を極力少なくするためにドライアイスの使用はなるべく少なくすることが
提唱されている。
【０００３】
その一環として、腐敗しやすいものを移送するために冷却ユニットを備えたコンテナーは
既に提案されている（特開平０６−０４８４８１）。
【先行技術文献】
【特許文献】
【０００４】
【特許文献１】特開平０６−０４８４８１号公報
【発明の概要】
【発明が解決しようとする課題】
【０００５】
上記の特開平０６−０４８４８１号公報記載の腐敗しやすいものを移送するためのコンテ
ナーは、内容物の腐敗を防止するために容器の断熱材パネルの内に冷却コイルを内蔵し、
この冷却コイルに外部の冷却装置から送られてくる低温の液体を送り込み、容器内部を低
温に維持している。
【０００６】
したがって、このコンテナーは冷却装置を装備していない輸送装置では使用できない。ま
た、冷却装置を装備した輸送装置を利用した場合でも輸送装置より外に運びだした場合に
は冷却コイルは作動しなくなる等の欠点がある。
【０００７】
本発明は、電源や冷却装置を備えていない環境でも棺桶内の遺体を長時間低温状態に維持
できる棺桶専用の移送または保管用のボックスを提供することを目的とする。
【０００８】
本発明は、遺体を納めた棺桶を少ない労力で極めて容易に収納することができる棺桶移送
保管ボックスを安価に得ることを他の目的とする。
【課題を解決するための手段】
【０００９】
本発明の棺桶移送保管ボックスは、上面及び下面が解放された長方形体のボックス本体、
上記ボックス本体の上面に嵌合構造を介して結合される長方形の上蓋及び上記ボックス本
体の下面に嵌合構造を介して結合される長方形の底板とよりなり、上記上蓋はその四周に
上記ボックス本体の四周の上辺と接合するための接合片を備えると共に該上蓋の内面に保
冷剤を収容するための保冷剤収納袋を備え、上記底板はその四周に上記ボックス本体の四
周の下辺に接合するための接合片を備え、且、上記ボックス本体はその四周の上辺に上記
上蓋の接合片と接合するための接合帯を、又その四周の下辺には上記底板の接合片と接合
するための接合帯をそれぞれ備えたことを特徴とする。
【００１０】
上記ボックス本体は発泡合成樹脂製の断熱材の表面をアルミニウム蒸着した断熱シートで
被覆した断熱構造体の上面に厚手の布製外皮を上張りして構成され、上記上蓋は発泡合成
樹脂製の断熱材の表面をアルミニウム蒸着した断熱シートで被覆した断熱構造体の上面に
厚手の布製外皮を上張りして構成され、且、上記底板は発泡合成樹脂製の断熱材の表面を
アルミニウム蒸着した断熱シートで被覆した断熱構造体の上面に厚手の布製外皮を上張り
して構成されている。
【００１１】
上記発泡合成樹脂製の断熱材には、例えば、発泡ポリエチレンや硬質発泡ポリウレタン等
が用いられる。
【００１２】
アルミニウム蒸着した断熱シートとしては、ポリエチレンテレフタレート（ＰＥＴ）フイ
ルムやポリエステルフイルムの表面にアルミニウムを蒸着したものが好ましく用いられる
。
【００１３】
厚手の布製外皮としては、合成樹脂製の長繊維をオックスフォード織りした厚手の生地が
用いられる。長繊維の繊維としてはナイロン繊維やポリエステル繊維が用いられる。糸の
太さは４２０〜５００デニールのものが好ましい。シリコーン樹脂の防水加工したものが
好ましい。
【００１４】
上記上蓋の接合片は厚手の布製外皮をフラップ状に延長して構成される。その内側には帯
状の平面ファスナーの雌型又は雄型の一方が取り付けられ、ボックス本体の四周の上側に
は平面ファスナーの雌型又は雄型の他方が取り付けられる。平面ファスナーの代わりにマ
グネットとそれに吸着される金属片を使用することもできる。
【００１５】
上記底板の接合片も同様にして厚手の布製外皮をフラップ状に延長して構成される。その
内側には帯状の平面ファスナーの雌型又は雄型の一方が取り付けられ、ボックス本体の四
周の下側には平面ファスナーの雌型又は雄型の他方が取り付けられる。
【００１６】
上記上蓋は、棺桶内部の遺体を覗き見できる覗き窓を備えている。この覗き窓は、観音開
き式に両開きできるものや、落とし蓋式に嵌め込むものがある。覗き窓の下面にはボック
ス内部の冷気が外に逃げないように、ガラスやアクリル製の遮断板が張り付けられている
。
【００１７】
上記上蓋の内面には保冷剤を収容するための保冷剤収納袋が取り付けられている。保冷剤
としては市版のものが用いられる。通常保冷剤は約９９パーセントの水と高吸水性樹脂(
ポリアクリル樹脂)、防腐剤、形状安定剤が含まれている。保冷剤は大型の２ｋｇ／個程
度のものが４〜６個必要である。従って、保冷剤を取り付けた上蓋の全重量は１０ｋｇ以
上となり非常に重くなる。従って、上蓋は、覗き窓のある部分と保冷剤収納袋が取り付け
られた部分のいずれか一方が上方に回動して二つ折りできるように構成されている。その
ために上蓋の断熱構造体は、覗き窓のある部分と保冷収納袋を取り付ける部分とが２つに
切断されている。しかし、断熱構造体は布製外皮で覆われているので、覗き窓のある部分
と保冷収納袋を取り付ける部分とが２つに分離されることはない。切断部分の布製外皮が
二つ折りの関節の役目を果たすことになる。
【００１８】
上記底板は、冷気の流通をよくするために底板と収容される棺桶の底との間に若干の間隙
ができるように複数個の棒状突起を備えている。この棒状突起は、横列に整列された断面
山形をした横棒４〜６本で構成される。
【００１９】
遺体を収容した棺桶を納めたボックスは相当の重量になるので、このボックスを移動させ
る際に持ち上げるための紐状の取っ手をこの底板の四辺にそれぞれ備えている。
【００２０】
上記ボックス本体は、収容された棺桶内の温度をセンサーで検出し、それをボックスの外
面で表示するための温度計を備えている。
【発明の効果】
【００２１】
（１）遺体を収容した棺桶は非常に重いので、ボックス本体の上から挿入する場合はかな
りの労力を必要とする。本発明の棺桶移送保管ボックスは、上蓋、ボックス本体及び底板
と３分割されているので、上蓋及びボックス本体を底板から取り外し、棺桶を直接底板の
上に載せた後、ボックス本体を被せ、最後に上蓋を被せて、底板、上板の接合片の両面フ
ァスナーをボックス本体の両面ファスナーの接合帯に接合すれば極めて簡単に遺体を収納
した棺桶をボックス内に納めることができる。
【００２２】
（２）本発明の棺桶移送保管ボックスは、上蓋、ボックス本体及び底板がそれぞれ、発泡
合成樹脂製の断熱材の表面をアルミニウム蒸着した断熱シートで被覆した断熱構造体の表
面に厚手の布製外皮を上張りして構成されているので、極めて軽量であるにもかかわらず
強度が強く、さらに、断熱構造体の存在によって、断熱効果が高く、さらにアルミニウム
蒸着した断熱シートによって冷気が外部に拡散することを防止しているので、保冷剤の使
用量が少なくても長時間棺桶内温度を低温に保つことができる。
【００２３】
（３）本発明の棺桶移送保管ボックスでは、棺桶の冷却に保冷剤を使用しているので、ド
ライアイスを使用した場合の急激な温度低下による遺体の凍結を防ぐと共に、ドライアイ
スによる低温火傷の危険性を軽減することができる。また、ドライアイスの使用量を削減
することにより、国が目指す炭酸ガスの削減政策にも寄与することができる。保冷剤使用
により、棺桶内温度を０℃〜５℃に２４時間維持することができる。また、保冷剤は繰り
返し使用できるので非常に経済的である。
【００２４】
（４）本発明の棺桶移送保管ボックスでは、上蓋に覗き窓が備えられているので、遺体を
収容した棺桶をボックス内に納めた後でも、故人の顔を拝観することができる。
【００２５】
（５）本発明の棺桶移送保管ボックスでは、上蓋の覗き窓が備えられた部分か保冷剤を収
容する部分のいずれか一方を上方に回動して二つ折りにできように構成されているので、
遺体を収容した棺桶をボックス内に納めた後でも、遺族等が故人に触れたい場合や遺品等
を棺桶に入れる場合に、重たい蓋を取り外さなくとも、簡単に覗き窓の部分だけを開ける
ことができる。また保冷剤を交換する場合は、保冷剤を収容する部分のみを二つ折りして
上方に回動して開閉できるので、重たい上蓋全部を取り外さないでその目的を達成できる
。また、上蓋を開ける必要がる場合、上蓋の覗き窓が備えられた部分か保冷剤を収容する
部分のいずれか一方だけを開けば目的を達成できるので、上蓋全体を開けた場合に比べて
、ボックス内の冷気が外部に逃げる量を少なく抑えられるので、保冷剤の使用量を少なく
することができる。
【００２６】
（６）本は発明の棺桶移送保管ボックスは、接合片及び接合帯は帯状の平面ファスナーの
雌型及び雄型の対及び帯状のマグネットとそれに吸着される金属片の対よりなる群より選
ばれたいずれか一つの対を選択的に使用することができるので、例えば、上蓋の覗き窓が
備えられた部分にファスナーを使用し、保冷剤を収容する部分にマグネットを使用すれば
、保冷剤を交換する場合、マグネットは開閉が容易であるので、保冷剤の交換作業を迅速
にしかも容易に行うことができる。
【００２７】
（７）本は発明の棺桶移送保管ボックスは、棺桶内の温度を表示する温度計が備えられて
いるので、棺桶内の温度を恒に監視することができ、保冷剤の交換時期を誤ることがなく
なる。
【図面の簡単な説明】
【００２８】
【図１】発明の棺桶移送保管ボックスの正面図
【図２】同上平面図
【図３】図２のＡ−Ａ線による縦断面図
【図４】図３の一部拡大縦断面図
【図５】発明の棺桶移送保管ボックスの上蓋の斜面図
【図６】同上裏面図
【図７】発明の棺桶移送保管ボックスのボックス本体の斜面図
【図８】発明の棺桶移送保管ボックスの底板の斜面図
【図９】温度計のシステム構成図
【発明を実施するための形態】
【００２９】
本発明の棺桶移送保管ボックスの最良の実施形態を次の実施例によって説明する。
【実施例】
【００３０】
図1は本発明棺桶移送保管ボックスの実施例を示す正面図であり、図２同上平面図である
。１は棺桶移送保管ボックス、２はボックス本体、３は上蓋、４は底板、３１は上蓋の接
合片、３２は上蓋の一文字取っ手、３３は覗き窓、４１は底板の接合片、４２は底板の紐
状取っ手である。
覗き窓３３の２枚の扉３３１が観音開きに開くように布製関節片３３２で上蓋３と扉３３
１に縫い目３３４で縫合されて固定されている。３３３は扉３３１のつまみである。
【００３１】
図３は図２のＡ−Ａ線による縦断面図で、底板４、ボックス本体２、上蓋３が３層に重ね
られている。上蓋３の内面の段差部３４はボックス本体２の上内面の段差部２３と嵌合し
てぴったりと蓋が閉まるようになっている。底板４の内面の段差部４３はボックス本体の
下内面の段差部２４と嵌合してぴったりと底板４がボックス本体２に嵌め込まれるように
なっている。
【００３２】
図４に示すように、上蓋３の接合片３１は布製外皮３７を延長してダブレット状に加工し
たもので、その内面に平面ファスナー３１１が取り付けられている。ボックス本体２の上
部の外面には平面ファスナー用の接合帯２１１が取り付けられている。
【００３３】
上蓋３は直方形の断熱構造体３６の上に布製外皮３７が張り付けられている。断熱構造体
３６は発泡合成樹脂製の断熱材３６１の上を表面にアルミニウム蒸着した断熱シート３６
２でくるみ、その上面に厚手の布製外皮３７を張り付けて構成されている。断熱材３６１
には例えば押出成形した発泡ポリエチレンが用いられ、断熱シート３６２には例えばＰＥ
Ｔフイルムの表面にアルミニウムを蒸着したシートが用いられる。布製外皮３７には、合
成樹脂例えばナイロンの長繊維をオックスフォード織りした通称ナイロンオックスの５０
０デニールのものが使用される。シリコーン樹脂で防水加工したものが好ましい。
【００３４】
ボックス本体２も上蓋３と同様の断熱材２６１を断熱シート２６２でくるんだ断熱構造体
２６及び布製外皮２７で構成されている。底板４も同様に断熱材４６１を断熱シート４６
２でくるんだ断熱構造体４６及び布製外皮４７で構成されている。
【００３５】
底板４とボックス本体２は底板の接続片４１の裏側に付いた平面フアスナー４１１とボッ
クス本体２の下側の平面フアスナー用の接合帯２１１で着脱自在にしかも強固に結合され
る。
【００３６】
上蓋３の内面には保冷剤収納袋３８が取り付けられている。収納袋３８図６に示されてい
るように編み目の袋を５個連結したもので、平面ファスナー(図示せず)で上蓋３の内面に
着脱自在に取り付けられている。収納袋３８には袋の入り口３８１があり保冷剤３８２を
出し入れすることができる。
【００３７】
図８に示すように、底板４には縦横に紐製の取っ手４２が２個ずつ取り付けられている。
この取っ手４２は遺体を収納した棺桶５を納めた棺桶移送保管ボックス１を数人で持ち上
げる際に使用する。この取って４２は図３に示すように断熱構造体４６と布製外皮４７の
間に敷き詰められその先端の輪の部分は布製外皮４７を突きぬけて外部に突出している。
【００３８】
底板４には図３及び図８に示すように、棒状突起４４が６個取り付けられている。この棒
状突起４４は底板４の内面と棺桶５の底面の間に空隙を作り冷気の流通をよくするために
設けられたものである。
【００３９】
図５、図６に示すように、上蓋３は覗き窓３３のある部分３９１または保冷剤収納袋３８
のある部分３９２のいずれか一方が選択的に上方に二つ折りできるように構成されている
。そのために、上蓋３の断熱構造体３６が切れ目３９によって覗き窓３３のある部分３９
１と保冷剤収納袋３８のある部分３９２の２つに分割されている。しかし、布製外皮３７
は分割されていないので、覗き窓３３のある部分３９１と保冷剤収納袋３８のある部分３
９２とは分離されていない。覗き窓３３のある部分３９１を上方に引き上げると図５の点
線３９３に沿って覗き窓３３のある部分３９１は二つ折りに開くことができる。同様に保
冷剤収納袋３８のある部分３９２を上方に引き上げると点線３９３に沿って保冷剤収納袋
３８のある部分３９２は二つ折りに開くことができる。
【００４０】
上蓋３の接合片３１の内側には上述のように覗き窓３３のある部分３９１の接続片３１に
は平面ファスナー３１１が取り付けられているが、保冷剤収納袋３８のある部分３９２の
接続片３１には平面ファスナーの代わりにマグネット３１２が取り付けられている。従っ
て、図７に示すように、マグネット３１２に対応するボックス本体２の上外面には金属帯
２１２が接合されている。なお、図７中の２２はボックス本体に取り付けられた一文字取
っ手、２８はネームプレート、６１はデジタル温度計のセンサー、６３は表示画面である
。
【００４１】
保冷剤収納袋３８のある部分３９２も図５の折れ線３９３に沿って上方に二つ折りに開く
ことができる。保冷剤収納袋３８のある部分３９２で平面ファスナーの代わりにマグネッ
ト３１２を使用した理由は、平面ファスナーは接合力が強いので開け閉めに労力を要する
が、それに対してマグネット３１２の方が開け閉めが容易なので、保冷剤の交換作業を容
易にするためである。
【００４２】
図９は本棺桶移送保管ボックスに付設された電池内内蔵型デジタル温度計６のシステム構
成図を示すもので、サーミスター等の温度感知センサー６１、センサーで検出された信号
を温度数値に変換する演算手段６２、温度数値に変換された信号をデジタル表示する液晶
画面の表示手段６３及び演算手段６２及び表示手段６３を作動するための内蔵電池６４よ
り構成されている。センサー６１をボックス内に設置し、演算手段６２、表示手段６３及
び電池６４を含む温度計本体をボックス外面に設置し両者を配線で結ぶ。その結果、ボッ
クス内温度を常に表示装置６３の液晶表示部で読み取ることができる。
【符号の説明】
【００４３】
１  棺桶移送保管ボックス
２  ボックス本体
２１１  接合帯
２３  段差部
２６  断熱構造体
２６１  断熱材
２６２  断熱シート
２７  布製外皮
３  上蓋
３１  接合片
３１１  平面ファスナー
３３  覘き窓
３８  保冷剤収納袋
４  底板
４１  接合片
４１１  平面ファスナー
４３  段差部
４４  棒状突起
５  棺桶
６  デジタル温度計
【図１】
2019033910.tif 000003
【図２】
2019033910.tif 000004
【図３】
2019033910.tif 000005
【図４】
2019033910.tif 000006
【図５】
2019033910.tif 000007
【図６】
2019033910.tif 000008
【図７】
2019033910.tif 000009
【図８】
2019033910.tif 000010
【図９】
2019033910.tif 000011